(57)【要約】      （修正有）【課題】ベッドフレーム上に直接置かれ、安全なリフトアップベッドフレームの被覆構造を提供する。【解決手段】台座、第一支持部、第二支持部、ベッドマット、上被覆部と下被覆部を備える。台座は、上面、底面及び少なくとも一つの側面が囲んでなるフレーム体であり、第一支持部及び第二支持部は、隣接して台座に設けられ、各々、台座に対する角変位が可能な第一フレーム及び第二フレームを備える。第一支持部と該第二支持部の上に設けられるベッドマットは、上面、底面及び少なくとも一つの側面を備え、上被覆部は、上面及び少なくとも一つの側面がベッドマットの上面と側面を囲み、被覆するように設けられ、下被覆部は少なくとも一つの側面が台座の側面を囲み、被覆するように設けられている。【選択図】図１
0003166518.tif 000002
【実用新案登録請求の範囲】
【請求項１】
少なくとも台座と、第一支持部と、第二支持部と、ベッドマットを備えるリフトアップベッドフレームの被覆構造であって、
前記台座は、上面、底面、及び少なくとも一つの側面が囲んでなるフレーム体であり、
前記第一支持部は、該台座に設けられ、少なくとも一つの第一フレームを備え、該第一フレームは、該台座に対し揺動可能に設けられ、
前記第二支持部は、第一支持部に隣接し、該台座に設けられ、該第二支持部は少なくとも第二フレームを備え、該第二フレームは、該台座に対し揺動可能に設けられ、
前記ベッドマットは、該第一フレームと該第二フレームの上に設けられ、上面、底面と少なくとも一つの側面を備え、
ここで、
上被覆部と下被覆部を更に含み、
該上被覆部は、上面及び少なくとも一つの側面が該ベッドマットの上面と側面を囲み、被覆するように設けられ、
該下被覆部は、少なくとも一つの側面が該台座の側面を囲み、被覆するように設けられていることを特徴とするリフトアップベッドフレームの被覆構造。
【請求項２】
該下被覆部の側面は、該台座の上面を被覆するように伸ばされる一部分を更に備えることを特徴とする請求項１に記載のリフトアップベッドフレームの被覆構造。
【請求項３】
該上被覆部の側面は、該ベッドマットの底面を被覆するように伸ばされる一部分を更に備えることを特徴とする請求項１に記載のリフトアップベッドフレームの被覆構造。
【請求項４】
該下被覆部の側面及び該台座の側面は、一定距離を隔てて設けられていることを特徴とする請求項１、２または３に記載のリフトアップベッドフレームの被覆構造。
【請求項５】
該第一支持部は、第一板材を更に備え、該第一板材は、該第一支持部と該ベッドマットの底面との間に設けられていることを特徴とする請求項１〜４いずれかに記載のリフトアップベッドフレームの被覆構造。
【請求項６】
該第二支持部は、第二板材を更に備え、該第二板材は、該第二支持部と該ベッドマットの底面との間に設けられていることを特徴とする請求項１〜４いずれかに記載のリフトアップベッドフレームの被覆構造。
【請求項７】
該上被覆部の対向した両側面の中段部位は、該下被覆部の対向した両側面の中段部位にそれぞれ連結していることを特徴とする請求項１、２、３または５に記載のリフトアップベッドフレームの被覆構造。
【考案の詳細な説明】
【技術分野】
【０００１】
本考案は、ベッド構造に関わり、特にユーザがベッドに座る姿勢、寝姿勢を調整するためのリフトアップベッドフレームの被覆構造に関する。
【背景技術】
【０００２】
従来、ユーザの座る姿勢・寝姿勢を調整できるリフトアップベッド、例えば、家庭用ベッドや病床は、ベッドフレーム、該ベッドフレームの隅に設けられる四本のベッドの脚、ベッドマット、第一リフトアップ装置と第二リフトアップ装置を備えてなり、該ベッドマットは該ベッドフレームの上に、該第一、二リフトアップ装置は該ベッドフレームにあるが、該ベッドフレームと該ベッドマットの間に設けられており、該第一、二リフトアップ装置はまた、制御ユニット、例えば電気スイッチに連結し、それにより、それぞれ該ベッドマットのプリセット部分を曲げたり、リフトするように設けられることで、ユーザが横になったところから、もたれた姿勢または座った姿勢になるが、そうすると、ユーザが読書や食事などを簡単に行えるようになる。
【０００３】
一般的に言えば、該ベッドフレームと該ベッドマットはそれぞれ独立したユニットであり、該ベッドフレーム上の該第一、二リフトアップ装置は通常、見られるところなので、見た目がよくないこと、また、ユーザがリフトアップベッドを購入する場合、該ベッドフレームが必要となり、そこで、本来使用していたベッドフレームを捨てたり、またはその他の処理を行うことで、浪費になり、環境にもよくないことである。
【考案の概要】
【考案が解決しようとする課題】
【０００４】
本考案は、外観的に普通のベッドマットであるが、リフトアップベッドの効果を兼ね備えたリフトアップベッドフレームの被覆構造を提供することを主な目的とする。
【０００５】
本考案は、使用していた本来のベッドフレーム上に直接に置かれるもので、省エネとコストダウンの効果を有するリフトアップベッドフレームの被覆構造を提供することを次の目的とする。
【０００６】
本考案は、安全性と全体的な見た目のよさを有するリフトアップベッドフレームの被覆構造を提供することをもう一つの目的とする。
【課題を解決するための手段】
【０００７】
前記目的を達成させるため、本考案では、少なくとも台座、第一支持部、第二支持部、ベッドマット、上被覆部と下被覆部を備え、該台座は、上面、底面及び少なくとも一つの側面が囲んでなるフレーム体であり、該第一支持部は、該台座に設けられ、少なくとも第一フレームを備えてなり、該第一フレームは、該台座に対する角変位が可能であり、該第一支持部に隣接し、該台座に設けられる該第二支持部は少なくとも第二フレームを備えてなり、該第二フレームは、該台座に対する角変位が可能であり、該第一フレームと該第二フレームの上に設けられる該ベッドマットは、上面、底面及び少なくとも一つの側面を備えてなり、該上被覆部は、上面及び一つの側面が該ベッドマットの上面と側面を囲み、被覆するように設けられ、該下被覆部は、少なくとも一つの側面が該台座の側面を囲み、被覆するように設けられていることを特徴とするリフトアップベッドフレームの被覆構造を提供する。
【図面の簡単な説明】
【０００８】
【図１】本考案の好適な第１実施例の立体イメージである。
【図２】本考案の好適な第１実施例の第一フレームと第二フレームがリフトアップされないときの正面イメージである。
【図３】本考案の好適な第１実施例の該第一フレームと該第二フレームがリフトアップしたときの正面イメージである。
【図４】本考案の好適な第２実施例の立体イメージである。
【図５】本考案の好適な第２実施例の該第一フレームと該第二フレームがリフトアップされないときの正面イメージである。
【図６】本考案の好適な第２実施例の該第一フレームと該第二フレームがリフトアップしたときの正面イメージである。
【図７】本考案の好適な第３実施例の立体イメージである。
【図８】本考案の好適な第４実施例の立体イメージである。
【考案を実施するための形態】
【０００９】
以下、本考案の好適な実施例を挙げ、図面を参照しながら次のように詳しく説明する。
【００１０】
図１、図２と図３に示すように、本考案に関するリフトアップベッドフレームの被覆構造の第１実施例は少なくとも、台座（１２）、第一支持部（１３）、第二支持部（１４）、ベッドマット（１５）、上被覆部（１６）と下被覆部（１７）を備えている。
【００１１】
該台座（１２）は、上面（２２）、底面（２４）及び少なくとも一つの側面（２６）が囲んでなるフレーム体である。
【００１２】
該第一支持部（１３）は該台座（１２）に設けられ、少なくとも第一フレーム（３２）を備えてなり、該第一フレーム（３２）は第一回転軸（Ｓ１）に対応し、該台座（１２）に対する角変位が可能であり、該第一フレーム（３２）は、駆動ユニット（３４）に押し動かされるように設けられている。
【００１３】
該第一支持部（１３）に隣接し、該台座（１２）に設けられる該第二支持部（１４）は少なくとも、第二フレーム（４２）を備えてなり、該第二フレーム（４２）は第二回転軸（Ｓ２）に対応し、該台座（１２）に対する角変位が可能であり、該第二フレーム（４２）は、駆動ユニット（４４）に押し動かされるように設けられている。
【００１４】
該第一フレーム（３２）と該第二フレーム（４２）の上に設けられる該ベッドマット（１５）は、上面（５２）、底面（５４）及び少なくとも一つの側面（５６）を備えている。
【００１５】
該上被覆部（１６）は、上面（６２）及び少なくとも一つの側面（６４）が該ベッドマット（１５）の上面（５２）と側面（５６）を囲み、被覆するように設けられている。
【００１６】
該下被覆部（１７）は、少なくとも一つの側面（７２）が該台座（１２）の側面（２６）を囲み、被覆するように設けられている。
【００１７】
図１に示すように、本考案に関するリフトアップベッドフレームの被覆構造において、該下被覆部（１７）の側面（７２）はまた該台座（１２）の上面（２２）を被覆するように伸ばされる一部分があり、該上被覆部（１６）の側面はまた、該ベッドマット（１５）の底面（５４）を被覆するように伸ばされる一部分がある。
【００１８】
図４、図５と図６に示すように、本考案に関するリフトアップベッドフレームの被覆構造の第２実施例では、該下被覆部（１７）の側面（７２）と該台座（１２）と側面（２６）は、ユーザが該台座（１２）にぶつかったり怪我させたりしないように、一定距離、例えば１０〜２０センチを隔てるように設けられているが、更に、該上被覆部（１６）の側面（６４）の外縁は、該下被覆部（１７）の側面（７２）の外縁に対して、該第一フレーム（３２）と該第二フレーム（４２）に挟まれたり、怪我をさせたりしないように設けられる。
【００１９】
図７と図８は本考案に関するリフトアップベッドフレームの被覆構造の第３実施例と第４実施例であり、該第一支持部（１３）はまた、第一板材（３６）を備えてなり、該第一板材（３６）は該第一支持部（１３）と該ベッドマット（１５）の底面（５４）の間に設けられるようにし、支持する効果を高めるが、該第二支持部（１４）はまた第二板材（４６）を備えてなり、該第二板材（４６）は、該第二支持部（１４）と該ベッドマット（１５）の底面（５４）の間に設けられるようにし、支持する効果を高める。
【００２０】
本考案に関するリフトアップベッドフレームの被覆構造において、該上被覆部（１６）の対向した両側面（６４）の中段部位は、それぞれ該下被覆部（１７）の対向した両側面（７２）の中段部位に連結しており、本考案は好適な安定構造を持っている。
【００２１】
本考案に関するリフトアップベッドフレームの被覆構造において、該下被覆部（１７）の側面（７２）は更に、該台座（１２）の底面（２４）全体を被覆するように伸ばされており、全体的な見た目がよくなる。
【００２２】
本考案に関するリフトアップベッドフレームの被覆構造において、該第一フレーム（３２）は人体の上半身を、該第二フレーム（４２）は人体の下半身を支えるように設けられている。
【００２３】
本考案では、該上被覆部（１６）と該下被覆部（１７）により、本考案の該第一支持部（１３）と該第二支持部（１４）がリフトアップされないとき、本考案は外観的に、普通のベッドマットであるが、リフトアップの効果を兼ね備えたもので、ユーザが本考案を購入すれば、今まで使用していたベッドマットを捨てられるが、ベッドフレームに慣れているユーザは、使用していたベッドフレームを捨てず、その上に本考案を置いてもよいもので、省エネとコストダウンの効果を有する付加効果があり、リフトアップ機能を有するベッドマットと言ってもよい。
【符号の説明】
【００２４】
１２ 台座
１３ 第一支持部
１４ 第二支持部
１５ ベッドマット
１６ 上被覆部
１７ 下被覆部
２２ 上面
２４ 底面
２６ 側面
３２ 第一フレーム
Ｓ１ 第一回転軸
３４ 駆動ユニット
４２ 第二フレーム
Ｓ２ 第二回転軸
４４ 駆動ユニット
１５ ベッドマット
５２ 上面
５４ 底面
５６ 側面
６２ 上面
６４ 側面
７２ 側面
３６ 第一板材
４６ 第二板材
【図１】
0003166518.tif 000003
【図２】
0003166518.tif 000004
【図３】
0003166518.tif 000005
【図４】
0003166518.tif 000006
【図５】
0003166518.tif 000007
【図６】
0003166518.tif 000008
【図７】
0003166518.tif 000009
【図８】
0003166518.tif 000010